(57)【特許請求の範囲】
【請求項１】
カラー部材の内周所定箇所に環状凹溝を設け、該カラー部材に挿入されるコルゲート管の所定箇所の凹部と該カラー部材の環状凹溝とを合わせ、その間に断面Ｓ字形状を有し、内周と外周とには板ばね部が設けられ、該内周板ばね部は該コルゲート管の凹部に係合し、該外周板ばね部は該カラー部材の環状凹溝に係合する係止リングを介在させたことを特徴とするコルゲート管の接続構造
【請求項２】
該カラー部材は左右両端に開口部を有し、更に左右一対の環状凹溝が設けられ、該カラー部材の左右開口部からは一対のコルゲート管を挿入し、該一対のコルゲート管の所定箇所の凹部と該カラー部材の環状凹溝とをそれぞれ合わせ、その間に断面Ｓ字形状を有し、内周と外周とには板ばね部が設けられ、該内周板ばね部は該コルゲート管の凹部に係合し、該外周板ばね部は該カラー部材の環状凹溝に係合する係止リングをそれぞれ介在させた請求項１に記載のコルゲート管の接続構造
【発明の詳細な説明】
【０００１】
【発明の属する技術分野】
本発明は、例えば電線、通信線、光ファイバー等のケーブル類を地中に埋設する場合に保護管として用いられるコルゲート管の接続構造に関するものである。
【０００２】
【従来の技術】
従来、図４および図５に示すように光ファイバー、通信ケーブル等のケーブル類を保護する保護管(1) は、凸環部(2) と凹溝部(3) とが交互に配列されているコルゲート状の可撓管であって、このような保護管(1,1) の一対は管継手(14)によって接続される。
該保護管(1) の接続端部の凹溝部(3) にはゴム製のパッキンリング(19)が装着されており、該保護管(1) は該パッキンリング(19)の摩擦力によって管継手(14)内に固定される。
【０００３】
【発明が解決しようとする問題点】
上記従来の管接続構造では、管の固定がパッキンリング(19)の摩擦力のみに頼っているから固定力が充分でなく、管継手(14)から保護管(1) が抜け易いという問題点があった。
【０００４】
【課題を解決するための手段】
本発明は上記従来の課題を解決するための手段として、カラー部材(4) の内周所定箇所に環状凹溝(6) を設け、該カラー部材(4) に挿入されるコルゲート管(1) の所定箇所の凹部(3) と該カラー部材(4) の環状凹溝(6) とを合わせ、その間に断面Ｓ字形状を有し、内周と外周とには板ばね部(10,10) が設けられ、該内周板ばね部(10)は該コルゲート管(1) の凹部(3) に係合し、該外周板ばね部(10)は該カラー部材(4) の環状凹溝(6) に係合する係止リング(9) を介在させたコルゲート管(1) の接続構造を提供する。
更に本発明は該カラー部材(4) は左右両端に開口部(5) を有し、更に左右一対の環状凹溝(6) が設けられ、該カラー部材(4) の左右開口部(5) からは一対のコルゲート管(1) を挿入し、該一対のコルゲート管(1) の所定箇所の凹部(3) と該カラー部材(4) の環状凹溝(6) とをそれぞれ合わせ、その間に断面Ｓ字形状を有し、内周と外周とには板ばね部(10,10) が設けられ、該内周板ばね部(10)は該コルゲート管(1) の凹部(3) に係合し、該外周板ばね部(10)は該カラー部材(4) の環状凹溝(6) に係合する係止リング(9) をそれぞれ介在させたコルゲート管(1) の接続構造も提供する。
【０００５】
【作用】
断面Ｓ字形状の係止リング(9) の外周板バネ部(10)はカラー部材(4) の環状凹溝(6) に弾性変形によって係合し、内周板バネ部(10)は該カラー部材(4) に挿入されているコルゲート管(1) の凸部(2) 間の凹部(3) に弾性変形によって係合する。
したがって該コルゲート管(1) は該カラー部材(4) から抜出すことなく挿着される。そして該係止リング(9) の内外周板バネ部(10,10) が、カラー部材(4) の環状凹溝(6) とコルゲート管(1) の凹部(3) との間に突っ張った状態となるから、該係止リング(9) はカラー部材(4) とコルゲート管(1) との間においてがたつきが生じない。
【０００６】
【実施例】
本発明を図１および図２に示す一実施例によって説明すれば、コルゲート管(1) は外周に凸部(2) と凹部(3) とが交互に形成されており、該カラー部材(4) は円筒状であって左右両端開口部(5,5) はベルマウス状に拡径され、内周中央部には左右一対の環状凹溝(6,6) が形成され、その外周にはそれに対応して凸環部(7,7) が形成され、該凸環部(7,7) の外側には複数のリブ(8,8) が補強のために形成されている。
該管(1) の挿入端から一番目の凹部(3) には係止リング(9) が装着される。該係止リング(9) はＣリングであって断面Ｓ字形状を有し、外周と内周には板バネ部(10,10) が設けられている。更に該管(1) の挿入端から二番目の凹部(3) にはゴム輪(11)が装着される。
【０００７】
このような管(1,1) をカラー部材(4) の左右開口部(5,5) から挿入する。該開口部(5,5) はベルマウス状に拡径されているから、該管(1,1) の挿入時の位置合わせが容易になる。また開いた状態（自然状態）の係止リング(9) も該ベルマウス状開口部(5,5) にガイドされて閉じ方向に円滑に弾性変形する。
該管(1,1) は該カラー部材(4) に挿入された状態で、係止リング(9) がカラー部材(4) の環状凹溝(6,6) の位置で弾性的に開き方向に復元変形し、更に該係止リング(9) の内外周板バネ部(10,10) が弾性的に開き方向に復元変形して、外周板バネ部(10)は該カラー部材(4) の環状凹溝(6,6) に係合し、内周板バネ部(10)は該管(1) の凹部(3) に係合する。
【０００８】
この状態で該係止リング(9) の内外周板バネ部(10,10) はカラー部材(4) の環状凹溝(6) と管(1) の凹部(3) との間に突っ張ってカラー部材(4) の環状凹溝(6) の内周とコルゲート管(1) の凹部(3) との外周にそれぞれ圧接した状態となり、がたつきを生ずることなく管(1,1) の抜け止めを行なう。そしてゴム輪(11)はカラー部材(4) と管(1) との間の気密性を維持する。
【０００９】
本実施例以外、図３に示すようにカラー部材(4) の凸環部(7) の補強用リブ(8) は該凸環部(7) の内外両側に設けられてもよい。更に本発明のカラー部材(4) は一対の管(1,1) を接続するために使用されるもの以外、例えば一方のコルゲート管(1) の端部に設けられてもよいし、またマンホール等のケーブル導入口に取付けられてもよい。
【００１０】
【発明の効果】
本発明ではカラーとコルゲート管とをがたつきなく確実に抜け止めを行なって接続することが出来る。
【図面の簡単な説明】
図１および図２は本発明の一実施例を示すものである。
【図１】接続部分解斜視図
【図２】接続部側断面図
【図３】カラー部材の他の実施例の側面図
図４および図５従来例を示すものである。
【図４】接続部分解斜視図
【図５】接続部分側断面図
【符号の説明】
1         コルゲート管
2         凸部
3         凹部
4         カラー部材
5         開口部
6         環状凹溝
9         係止リング
10        板バネ部
【図１】
0003566883.tif 000002
【図２】
0003566883.tif 000003
【図３】
0003566883.tif 000004
【図４】
0003566883.tif 000005
【図５】
0003566883.tif 000006